(57)【要約】【課題】  立体マルチカラー発光器の提供。【解決手段】  主体が透光可能なケースとされ、内部にケースの各面に対応する複数の独立した分割エリアが設けられ、各一組の分割エリアに一組の光源モジュールが設けられ、該光源モジュールが少なくとも２色の発光装置で構成され、これにより発生する少なくとも２種類の色光が適宜区画され、多方面にケースの対応面に投射され、立体的で多面の変色可能で多様化された灯光モードを現出できる。【選択図】        図２
0003109903.tif 000002
【実用新案登録請求の範囲】
【請求項１】
立体マルチカラー発光器において、
内部に複数の分割エリアが設けられて各分割エリアに光源モジュールが設けられ、別に各光源モジュールに出力される電流量を制御するコントローラーが設けられた透光可能なケースと、
少なくとも２色の発光装置が組み合わされて成り、並びに各光源の輝度が調整可能である光源モジュールと、
を具えたことを特徴とする、立体マルチカラー発光器。
【請求項２】
請求項１記載の立体マルチカラー発光器において、光源モジュールが複数の単色光の発光装置で構成されたことを特徴とする、立体マルチカラー発光器。
【請求項３】
請求項１記載の立体マルチカラー発光器において、光源モジュールが単一或いは複数の、二種類以上の色の光線を発生可能な単体発光装置とされたことを特徴とする、立体マルチカラー発光器。
【請求項４】
請求項１記載の立体マルチカラー発光器において、ケースが立体中空の多角形体とされ、該ケース内部に複数の分割エリアが設けられ、各分割エリアがケースの独立した表面に対応することを特徴とする、立体マルチカラー発光器。
【請求項５】
請求項４記載の立体マルチカラー発光器において、分割エリアが複数の隔板で構成され、外側から内側に漸次縮小する漏斗状空間を形成することを特徴とする、立体マルチカラー発光器。
【請求項６】
請求項１記載の立体マルチカラー発光器において、ケースが立体中空の多角形体とされ、ケース内に複数の分割エリアが設けられ、ケースの大きな表面の内部の各分割エリアが局部エリアのケース壁に対応することを特徴とする、立体マルチカラー発光器。
【請求項７】
請求項６記載の立体マルチカラー発光器において、分割エリアが複数の隔板で構成され、外側から内側に漸次縮小する漏斗状空間を形成することを特徴とする、立体マルチカラー発光器。
【考案の詳細な説明】
【技術分野】
【０００１】
本考案は一種の立体マルチカラー発光器に係り、特に多彩な変色の灯光効果を発生可能で、並びに各面或いは各部表面において、独立して、マルチカラーの多様な灯光変化を形成できるものに関する。
【背景技術】
【０００２】
伝統的なランプシートの設計の多くは、単一方向、単一光源或いは単一方向に複数の光源が設けられ、複数のランプシートを組み合わせて一つの独立した立体多方向光源を具えた発光装置を形成しようとすれば、ランプシート実体の必要空間と単方向光源の条件制限により、光の投射角の、もとの投射角のコーナー部分と異なる部分において、間隙或いは無光のコーナーエリアが発生する。また、伝統的な立体実体装飾灯光或いは発光装置はいずれも立体実体の各面が同一時間にあって同一カラーの光に対応するか或いは単調な光色の変換しか行なえない。
【考案の開示】
【考案が解決しようとする課題】
【０００３】
本考案の主要な目的は、灯光がないコーナーエリアの間隙の問題を免除した立体多方向光源構築の発光器を提供することにある。この発光器は、透光性の複数の面を具えた多面立体ケースの内部に、各面に対応するよう単一或いは複数の発光源が設けられ、それに点滅変化を制御するコントローラーが組み合わされ、各面が全部同じ、一部同じ、或いは全部が相互に異なる色の光線を現出する。光色変化のほか、更に立体水平面の色光が迅速或いは漸次隣接する垂直面に変換されうる。さらに、立体多方向光源構築の創意により、各二つの隣り合う面のコーナー部分の光線が、無間隙で、またオーバラップ現象なく完全に接合される。
【０００４】
本考案の次の目的は、大面積でマルチカラーの発光器を提供することにあり、それは、透光性の多面を具えた立体ケースの各面が複数の光源に対応する時、一つ大きな対応面が複数の小面積の対応面に分割されたものとする。このとき、各小対応面の光源の組合せは点滅変化を制御するコントローラーにより調整され、マルチ変化の光線が多面体の各小面積の対応面を透過し、パターンと、光のアクティブな動態モードを現出するものとする。
【０００５】
本考案のさらに別の目的は、立体多面体展示用に広く運用される発光器を提供することにあり、この展示用発光器は単純な立方体とされ、並びに目撃可能な各独立面はいずれも独立或いは同期変化する灯光効果とパターンを発生できる。例えば、三角形、菱形、六角形の構図が、同時に各独立面に現出され且つ独立或いは同期変色の灯光効果を発生する。或いは、大面積の灯光が各独立面にあって表現されるか、或いは各大面積の灯光面が複数の独立し多変化の小面積灯光面に分割され、更に制御回路によりそれが異なる色彩の光線を現出し、並びに各独立面のパターンが相互に反映し、異なるパターンが集まった立体展示効果を現出し、実際に利用可能な範囲は、床、天井、壁、ベッドのヘッドボード或いは広告看板とされる。
【０００６】
上述の目的を達成するため、本考案は透光可能なケースを利用し、その内部のケース各面に対応するように複数の独立した分割エリアが設けられ、各分割エリアに一つの光源モジュールが設けられ、該光源モジュールが少なくとも２色の発光装置が組み合わされてなり、並びに一組のコントローラーで各光源の出力モードが制御され、これにより使用操作時に、立体的な展示装置が、各独立面にあって変色と多様化の灯光モードの視覚変化効果を現出する。
【課題を解決するための手段】
【０００７】
請求項１の考案は、立体マルチカラー発光器において、
内部に複数の分割エリアが設けられて各分割エリアに光源モジュールが設けられ、別に各光源モジュールに出力される電流量を制御するコントローラーが設けられた透光可能なケースと、
少なくとも２色の発光装置が組み合わされて成り、並びに各光源の輝度が調整可能である光源モジュールと、
を具えたことを特徴とする、立体マルチカラー発光器としている。
請求項２の考案は、請求項１記載の立体マルチカラー発光器において、光源モジュールが複数の単色光の発光装置で構成されたことを特徴とする、立体マルチカラー発光器としている。
請求項３の考案は、請求項１記載の立体マルチカラー発光器において、光源モジュールが単一或いは複数の、二種類以上の色の光線を発生可能な単体発光装置とされたことを特徴とする、立体マルチカラー発光器としている。
請求項４の考案は、請求項１記載の立体マルチカラー発光器において、ケースが立体中空の多角形体とされ、該ケース内部に複数の分割エリアが設けられ、各分割エリアがケースの独立した表面に対応することを特徴とする、立体マルチカラー発光器としている。
請求項５の考案は、請求項４記載の立体マルチカラー発光器において、分割エリアが複数の隔板で構成され、外側から内側に漸次縮小する漏斗状空間を形成することを特徴とする、立体マルチカラー発光器としている。
請求項６の考案は、請求項１記載の立体マルチカラー発光器において、ケースが立体中空の多角形体とされ、ケース内に複数の分割エリアが設けられ、ケースの大きな表面の内部の各分割エリアが局部エリアのケース壁に対応することを特徴とする、立体マルチカラー発光器としている。
請求項７の考案は、請求項６記載の立体マルチカラー発光器において、分割エリアが複数の隔板で構成され、外側から内側に漸次縮小する漏斗状空間を形成することを特徴とする、立体マルチカラー発光器としている。
【考案の効果】
【０００８】
本考案の立体マルチカラー発光器は主体が透光可能なケースとされ、内部にケースの各面に対応する複数の独立した分割エリアが設けられ、各一組の分割エリアに一組の光源モジュールが設けられ、該光源モジュールが少なくとも２色の発光装置で構成され、これにより発生する少なくとも２種類の色光が適宜区画され、多方面にケースの対応面に投射され、立体的で多面の変色可能で多様化された灯光モードを現出できる。
【考案を実施するための最良の形態】
【０００９】
図１、２、３は本考案の立体マルチカラー発光器の立体図及び断面図であり、それは、ケース１内に複数の分割エリア２が設置され、各分割エリア２は独立し、複数の隔板１１により構築され、隣り合う分割エリア２は近隣の隔板１１を共用している。更に、各分割エリア２内に一組の光源モジュール３が設けられ、該光源モジュール３は少なくとも２色の発光装置が組み合わされてなり、このほか、ケース１内に別にコントローラー４が設けられ、該コントローラー４による電流量の調整により光源モジュール３の各光源の輝度が制御され、これによりマルチカラーで、変色可能な灯光効果が発生する。
【００１０】
本実施例中、ケース１は立方体とされるが、直方体とすることも可能で、内部は中空状とされて、隔板１１及び光源モジュール３等の部品が収容され、このほか、該ケース１の底分割エリア２に底板１２が設けられ、上述の部品が内部に密封される。
【００１１】
該分割エリア２はケース１内の複数の隔板１１で構成され、原則的に一つの分割エリア２は四つの隔板１１で構成され、形状は外側から内側に漸縮する漏斗状の空間とされ（図４）、外側はケース１の単一表面に緊密に当接し、その内側の小さい位置は光源モジュール３の設置される部分とされる（図２、３）。隣り合う分割エリア２は近隣の隔板１１を共用し、実際の生産過程にあって、各隔板１１は直接結合されて単一の部品とされ得て、ケース１内に置かれて複数の分割エリア２を形成する。
【００１２】
該光源モジュール３は２色或いは２色以上の発光装置が組み合わされて成り、その出力する光線はこの装置により形成される。既存の発光装置に関しては、最も常用される装置は発光ダイオードとカラーガラスケースを具えたバルブ或いはカラーカバーを具えたバルブとされ、電流量の調整により光の強弱が制御され、我々が異なる色の発光エネルギーを調整するのに便利である。本実施例では個別に赤、緑、及び青色の光を発生する発光ダイオードで構成された一組の光源モジュール３が採用されるが、複数の異なる色の発光ダイオードが形成するアレイ、或いは一つ或いは複数の赤、緑、及び青光を発生できる発光ダイオードで直接組成されうる。ケース１の内部にはコントローラー４が設けられ（図中にはブロックのみで表示）、その内部に設計の必要に応じて関係する制御回路が設けられ、並びに電線が設けられて各光源モジュール３が相互に接続され並びにその点滅或いは光源の輝度が調整される。
【００１３】
総合すると、各光源モジュール３はケース１内の分割エリア２にあって異なる色光を発生し、電流量の改変を利用して２色以上（例えば、赤、緑、青）の光の輝度が改変、制御され、これによりケース１の各表面に変色可能で、マルチカラーで、独立した灯光変化効果が現出され、ゆえに本考案は伝統的な単調な単一形態を打破し、アクティブで多変化の展示装置を形成できる。
【００１４】
図５及び図６は本考案の別の実施例を示し、そのケース１ａは大面積の直方体とされ、内部に複数の隔板１１ａを利用して小面積の漏斗状空間の複数の分割エリア２が形成され、各分割エリア２内にそれぞれ光源モジュール（図示せず）が設けられ、各分割エリア２は局部エリアのケース１ａ表面に対応し（図５中の細線で描かれるエリア）、該コントローラーは最内部に設置され、並びに各光源モジュールと接続される。図７は、この実施例の横向き断面図であり、別の一組の異なる複数の隔板で形成された構造を示す。横向き断面図であり、ケース１ａ内部は隔板１１ｂにより小面積の複数の独立した分割エリア２に分割され、並びに図５の細線で示されるように、各局部エリアのケース１ａ表面に対応し、四周に位置する分割エリア２は垂直及び水平のケース１ａ表面に対応する。上述の構造を利用し、大面積の展示形態が形成されて、それに複数の自由に変光、変色可能な灯光展示エリアが形成され、更にコントローラー４により適時に各エリアの変色のタイミングが制御され、マルチカラーが形成され、アクティブな灯光変化効果が発生する。
【００１５】
以上の実施例は本考案の範囲を限定するものではなく、以上の実施例及び図面の記載に基づきなしうる細部の修飾或いは改変は、いずれも本考案の請求範囲に属するものとする。
【図面の簡単な説明】
【００１６】
【図１】本考案の立体図である。
【図２】図１のＡ−Ａ断面図である。
【図３】図１のＢ−Ｂ断面図である。
【図４】本考案の隔板の立体図である。
【図５】本考案の別の実施例の立体図である。
【図６】本考案の別の実施例のケース１ａを取り外した後の内部の複数の隔板で形成された構造の立体図である。
【図７】本考案の別の実施例の横向き断面図であり、別の一組の異なる複数の隔板で形成された構造を示す。
【符号の説明】
【００１７】
１  ケース
１１  隔板              １２  底板
２  分割エリア
３  光源モジュール
４  コントローラー
１ａ  ケース
１１ａ  隔板              １１ｂ  隔板
【図１】
0003109903.tif 000003
【図２】
0003109903.tif 000004
【図３】
0003109903.tif 000005
【図４】
0003109903.tif 000006
【図５】
0003109903.tif 000007
【図６】
0003109903.tif 000008
【図７】
0003109903.tif 000009